【事件の表示】
　特願２００４−３７１３０７「投写装置」拒絶査定不服審判事件〔平成１７年５月１２日出願公開、特開２００５−１２２２１３〕について、次のとおり審決する。
【結　論】
　本件審判の請求は、成り立たない。
【理　由】
１　手続の経緯及び本願発明
　本願は、平成１０年７月１７日に出願された特願平１０−２０２６３１号の出願の一部を平成１６年１２月２２日に分割して特許出願された特願２００４−３７１３０７号に係り、原審における平成１７年７月１９日付拒絶理由通知に対し、平成１７年９月１５日付で意見書とともに手続補正書が提出され、そして、平成１７年１０月３日付の再度の拒絶理由通知に対し、平成１７年１２月６日付で意見書とともに手続補正書が提出されたところ、前記平成１７年１０月３日付の拒絶理由により平成１８年１月６日付で拒絶査定され、その後前記拒絶査定を不服として、平成１８年２月１６日に拒絶査定不服審判が請求されたものである。
　そして、当審が審理すべき本願発明は、平成１７年１２月６日付の手続補正により補正された明細書の特許請求の範囲の請求項１に記載された事項により特定される次のとおりのもの（以下、「
本願発明１
　「【請求項１】　シャーシに着脱自在に装着される枠体と、枠体内に収納される光源とから構成された光源装置と、光源装置からの光をＲ，Ｇ，Ｂに分光する分光手段と、Ｒ，Ｇ，Ｂの各光に対応したライトバルブと、ライトバルブを照射した光を合成する合成手段と、合成された光を写す投写レンズとを備えた投写装置において、前記光源は、発光部の両側に軸体を有する発光体と、発光体の基端部側に位置する軸体を支持片を介して固定すると共に、発光体の先端部側に位置する軸体及び発光部を覆い、先端が開放された凹状のリフレクタとから構成され、リフレクタ内は、リフレクタの先端に接する透明部材により閉塞されると共に、リフレクタの先端には、リフレクタ内外に連通する一対の切欠きが形成され、支持片には、発光体の基端部側に位置する軸体とリフレクタとの隙間を介してリフレクタ内外に連通する切欠部が形成され、光源を枠体内に収納した状態で、リフレクタの一対の切欠きにより、発光体の先端部側に位置する軸体を冷却する流路が形成されると共に、支持片の切欠部及びリフレクタの一方側の切欠きにより、発光体の基端部側に位置する軸体及び発光部を冷却する流路が形成されるように冷却用のファンを配設したことを特徴とする投写装置。」
　
２　引用刊行物及びその記載事項
（１）原審における拒絶査定の理由に引用された、本願の特許出願前に頒布された刊行物である特開平７−２８１１４５号公報（以下、「
引用刊行物１
「【特許請求の範囲】
　　【請求項１】　入力された映像信号を光変調する液晶パネルと、該液晶パネルへ光を供給する光源と、前記液晶パネルにより変調された光を投射する投射レンズと、前記光源により発生する熱を冷却するファンと、該ファンにより集められた熱を液晶プロジェクタ外へ排出する導風ガイドとを有する冷却手段とから構成されることを特徴とする液晶プロジェクタ。
　　【請求項２】　入力された映像信号を光変調する液晶パネルと、放熱するための切り欠き部を有する反射板とランプとからなり、前記液晶パネルへ光を供給する光源と、前記液晶パネルにより変調された光を投射する投射レンズと、前記光源を構成する反射板の切り欠け部を介して発生する熱を冷却するファンと、該ファンにより集められた熱を液晶プロジェクタ外へ排出する導風ガイドとを有する冷却手段とから構成されることを特徴とする液晶プロジェクタ。
　　【請求項３】　前記ファンは、クロスフローファンであることを特徴とする請求項１、または２記載の液晶プロジェクタ。
　【発明の詳細な説明】
　　【０００１】【産業上の利用分野】　本発明は、映像信号に応じて光源からの光を液晶パネルにより光変調し、光変調された光を投射レンズを介して拡大表示する液晶プロジェクタに関するものである。
　　【０００２】【従来の技術】　従来この種装置としては、液晶パネルを３枚使用した液晶プロジェクタ（以下、３板式液晶プロジェクタと略す）が一般的であり、以下３板式液晶プロジェクタについて説明を行う。
　　【０００３】　図６は、一般的な液晶プロジェクタの全体ブロック図である。
　　【０００４】　図６において、光源１から発せられた白色光は、椀状の反射板２により平行光にされ、赤外線カットフィルタ３にて赤外線が除去された後、緑色光分離ダイクロイックミラー４Ｇへ入射される。
　　【０００５】　緑色光分離ダイクロイックミラー４Ｇでは、白色光から緑色光を分離し、この分離された緑色光は反射ミラー５Ａにて反射された後、コンデンサレンズ６Ｇを介して緑色光用液晶パネル７Ｇへ入射する。
　　【０００６】　一方、緑色光分離ダイクロイックミラー４Ｇを通過した赤色光、及び青色光は赤色光分離ダイクロイックミラー４Ｒへ入射する。赤色光分離ダイクロイックミラー４Ｒでは、入射された光から赤色光を分離し、この分離された赤色光はコンデンサレンズ６Ｒを介して赤色光用液晶パネル７Ｒへ入射する。
　　【０００７】　また、赤色光分離ダイクロイックミラー４Ｒを通過した青色光はコンデンサレンズ６Ｂを介して青色光用液晶パネル７Ｂへ入射する。
　　【０００８】　各液晶パネル７Ｇ、７Ｒ、７Ｂでは映像回路（図示せず）からの映像信号により入射された各原色光を光変調する。
　　【０００９】　そして、緑色光用液晶パネル７Ｇにより光変調された緑色光と赤色光用液晶パネル７Ｒにより光変調された赤色光とは、赤色光合成ダイクロイックミラー８Ｒにて合成された後、これらの合成光は青色光合成ダイクロイックミラー８Ｂへ入射される。
　　【００１０】　また、青色光用液晶パネル７Ｂにより光変調された青色光は反射ミラー５Ｂにて反射された後、青色光合成ダイクロイックミラー８Ｂへ入射する。
　　【００１１】　青色光合成ダイクロイックミラー８Ｂでは、先ほどの緑色光と赤色光の合成光と、青色光とが合成され、これらの合成された光が投射レンズ９を介してスクリーン（図示せず）上に拡大表示される。
　　【００１２】　この結果、視聴者はスクリーン上に拡大表示された映像を観察することができる。
　　【００１３】　ところで、一般に液晶プロジェクタの光源は高熱を発生し、この熱により光源のランプの寿命劣化となる。このため、図７に示す如く、従来より光源の冷却を目的とした軸流ファン１０がその側面に設けられている。
　　【００１４】　尚、図７は液晶プロジェクタの光源付近の拡大断面図である。
　　【００１５】　図７において、光源により発生した熱Ａ、及び各液晶パネル、若しくは赤外線カットフィルタにより発生した熱Ｂは、軸流ファン１０により液晶プロジェクタの外部に排出していた。
　　【００１６】【発明が解決しようとする課題】　しかしながら、上述の従来技術では光源により発生する熱Ｃに対しては十分に液晶プロジェクタの外部に排出することができなかった。また、光源を構成する反射板が椀形状となっているため、光源により発生した熱は反射板の内部にこもりやすく、熱を効率的に液晶プロジェクタの外部に排出することは困難であった。
　　【００１７】　本発明は、上述の欠点に鑑みなされたものであり、簡単な構成で効率的な冷却手段を有する液晶プロジェクタを提供するものである。
　　【００１８】【課題を解決するための手段】　本発明は、入力された映像信号を光変調する液晶パネルと、該液晶パネルへ光を供給する光源と、前記液晶パネルにより変調された光を投射する投射レンズと、前記光源により発生する熱を冷却するファンと、該ファンにより集められた熱を液晶プロジェクタ外へ排出する導風ガイドとを有する冷却手段とから構成されることを特徴とする液晶プロジェクタである。
　　【００１９】　また、本発明は、入力された映像信号を光変調する液晶パネルと、放熱するための切り欠き部を有する反射板とランプとからなり、前記液晶パネルへ光を供給する光源と、前記液晶パネルにより変調された光を投射する投射レンズと、前記光源を構成する反射板の切り欠け部を介して発生する熱を冷却するファンと、該ファンにより集められた熱を液晶プロジェクタ外へ排出する導風ガイドとを有する冷却手段とから構成されることを特徴とする液晶プロジェクタである。
　　【００２０】【作用】　本発明は上述の如く構成することにより、光源により発生した熱Ａ、及び赤外線カットフィルタ、若しくは液晶パネルにより発生した熱Ｂは軸流ファンにより液晶プロジェクタの外部に排出される。
　　【００２１】　一方、光源より発生した熱Ｃは液晶プロジェクタの後部に配置されたクロスフローファンにより液晶プロジェクタの外部に排出される。
　　【００２２】　更に、光源を構成する反射板の上下に切り欠け部を設け、この切り欠け部より反射板内にこもっていた熱が効率的に液晶プロジェクタの外部に排出される。
　　【００２３】【実施例】　以下、図面に従い、本発明液晶プロジェクタの１実施例を説明する。
　　【００２４】　図１は、本発明液晶プロジェクタの全体ブロック図である。
　　【００２５】　図１において、光源１から発せられた白色光は、椀状の反射板２により平行光にされ、赤外線カットフィルタ３にて赤外線が除去された後、緑色光分離ダイクロイックミラー４Ｇへ入射される。
　　【００２６】　緑色光分離ダイクロイックミラー４Ｇでは、白色光から緑色光を分離し、この分離された緑色光は反射ミラー５Ａにて反射された後、コンデンサレンズ６Ｇを介して緑色光用液晶パネル７Ｇへ入射する。
　　【００２７】　一方、緑色光分離ダイクロイックミラー４Ｇを通過した赤色光、及び青色光は赤色光分離ダイクロイックミラー４Ｒへ入射する。赤色光分離ダイクロイックミラー４Ｒでは、入射された光から赤色光を分離し、この分離された赤色光はコンデンサレンズ６Ｒを介して赤色光用液晶パネル７Ｒへ入射する。
　　【００２８】　また、赤色光分離ダイクロイックミラー４Ｒを通過した青色光はコンデンサレンズ６Ｂを介して青色光用液晶パネル７Ｂへ入射する。
　　【００２９】　各液晶パネル７Ｇ、７Ｒ、７Ｂでは映像回路（図示せず）からの映像信号により入射された各原色光を光変調する。
　　【００３０】　そして、緑色光用液晶パネル７Ｇにより光変調された緑色光と赤色光用液晶パネル７Ｒにより光変調された赤色光とは、赤色光合成ダイクロイックミラー８Ｒにて合成された後、これらの合成光は青色光合成ダイクロイックミラー８Ｂへ入射される。
　　【００３１】　また、青色光用液晶パネル７Ｂにより光変調された青色光は反射ミラー５Ｂにて反射された後、青色光合成ダイクロイックミラー８Ｂへ入射する。
　　【００３２】　青色光合成ダイクロイックミラー８Ｂでは、先ほどの緑色光と赤色光の合成光と、青色光とが合成され、これらの合成された光が投射レンズ９を介してスクリーン（図示せず）上に拡大表示される。
　　【００３３】　この結果、視聴者はスクリーン上に拡大表示された映像を観察することができる。
　　【００３４】　ここで、光源を構成する反射板２の上部には切り欠け部２Ａが設けられており、この切り欠け部２Ａを介して反射板内部の熱が反射板の外部に排出される。
　　【００３５】　また、液晶プロジェクタの側面に配置された軸流ファン１０以外に、光源の後部にクロスフローファン１１が配置されており、このクロスフローファン１１により熱が液晶プロジェクタの外部に排出される。
　　【００３６】　次に、図２〜図５を用いて本発明液晶プロジェクタにおける熱排出構造、及び動作について説明する。
　　【００３７】　尚、図２は本発明液晶プロジェクタの光源付近の上面拡大断面図であり、図３は本発明液晶プロジェクタの光源付近の側面拡大断面図である。
　　【００３８】　また、図４は光源を構成する反射板の斜視図、図５はその開口側から見た正面図である。
　　【００３９】　光源１は、ランプ１２と反射板２とから構成されており、ランプ１２と反射板２とは光源を交換する際に使用する取っ手１３Ｂを有する第１ランプハウス１３に取り付けられ、この第１ランプハウス１３は液晶プロジェクタ本体側に設けられた第２ランプハウス１４に収納され、第２ランプハウス１４に対してスライド可能な構造になっている。また、第２ランプハウス１４は赤外線カットフィルタ３を固定するブラケット１５に固定されていることから、第２ランプハウス
１３
１４
　　【００４０】　また、第１ランプハウス１３、及び第２ランプハウス１４の上下面にはそれぞれ開口１３Ａ、１４Ａが設けられており、この開
光
口
　　【００４１】　このため、液晶プロジェクタ内部の空気は、図３の矢印イ、ロに示す如く、第１ランプハウス１３、及び第２ランプハウス１４の下部開口から反射板
２Ａ
２
　　【００４２】　次に、液晶プロジェクタ本体の後面にはクロスフローファン１１が取り付けられおり、このクロスフローファン１１により液晶プロジェクタ本体内部の熱が、図
３
２
　　【００４３】　ところで、液晶プロジェクタの後面は光源１１を取り出すための開口を有しており、この開口にバックカバー１６が取り付けられている。このバックカバー１６はクロスフローファン１１から排出された熱を外部に排出する開口１６Ａ、及び排出された熱を下方に導く導風ガイド１６Ｂとが設けられている。
　　【００４４】　この導風ガイド１６Ｂは、図３に示す如く、開口１６Ａの寸法Ｃよりも十分大きく（具体的には３〜４ｃｍ）することにより、開口１６Ａより光源１からの光が開口１６Ａを介して外部に漏れるのを防止する。また、バックカバー１６の熱導風スペースＤは、２〜３ｃｍ程度必要であり、これ以下であると熱冷却効果が損なわれることになる。
　　【００４５】　このため、クロスフローファン１１により液晶プロジェクタ外部に排出された熱は、図３の矢印ニに示す如く、導風ガイド１６Ｂにより下方に熱の排出方向が変換される。
　　【００４６】　また、本発明液晶プロジェクタでは、クロスフローファン１１による排出する方式に加え、軸流ファン１０により液晶プロジェクタの側面方向へ熱を排出している。
　　【００４７】　更に、液晶パネルを冷却するための吸い込みファン（図示せず）を使用することにより効率的な熱の排出を行うことができる。つまり、吸い込むファンにより取り込まれた外気は上述の光源冷却用ファン、つまりクロスフローファン１１、及び軸流ファン１０により、図
３
２
　　【００４８】　このようにして、光源１で発生した熱は、反射板２の切り欠け部２Ａ、及び第１ランプハウス１３、及び第２ランプハウス１４の開口１３Ａ、１４Ａを介して第１ランプハウス、及び第２ランプハウス１４の外部へ排出（矢印ロ）され、その後クロスフローファン１１にて液晶プロジェクタの外部へ排出（矢印ハ）される。そして、バックカバー１６に設けられた導風ガイド１６Ｂにより排出された熱は下方へ排出方向が変換され、液晶プロジェクタを操作者が後部より操作する際、操作者が上述の熱を受けることを防止する。
　　【００４９】　また、バックカバー１６に設けられた開口１６Ａの寸法Ｃよりも導風ガイド１６Ｂの寸法Ｂを長くすることにより、開口１６Ａを介して漏れる光を遮断でき、液晶プロジェクタを視聴する際の、不快感を防止することができる。
　　【００５０】【発明の効果】　本発明は、上述の如く構成することにより、光源より発生する熱を完全に液晶プロジェクタの外部に排出することができ、液晶パネル、及び光源の劣化を押さえることができる。
　　【００５１】　また、本発明は、導風ガイドにより、液晶プロジェクタの操作者が熱を受けるのを防止できるばかりか、光源から発生する光が液晶プロジェクタの外部に漏れるのを防止でき、視聴者に不快感を与えることがない。」
　
　また、添付された【図１】ないし【図５】の図面には、先端部に２個所の切り欠け部２Ａが設けられた反射板２と、発光体の基端部側に位置する軸体と発光体の先端部側に位置する軸体とを発光部の両側に有し前記反射板２の内部に配設されたランプ１２と、反射板２の内部に配設されたランプ１２の基端部側の軸体が貫通している反射板２の開口周りの間隙と、液晶プロジェクタ本体の後面に設けられたクロスフローファン１１と、液晶プロジェクタ本体に収納されている第１ランプハウス１３及び第２ランプハウス１４のそれぞれの上下面に設けられた開口１３Ａ，１４Ａと、が明示されている。
　そして、本発明液晶プロジェクタの光源付近の側面拡大断面図を示す【図３】中に明示されている矢印イ、ロの図示からみて、前記【図３】には、「第１ランプハウス１３及び第２ランプハウス１４の下部開口１３Ａ，１４Ａから反射板２の一方の切り欠け部２Ａを介して反射板２の内部に進入（矢印イ）した液晶プロジェクタ内部の空気が、反射板２の内部に配設されたランプ１２の先端部側の軸体の近傍を通り、さらに反射板２の他方の切り欠け部２Ａを介して第１ランプハウス１３及び第２ランプハウス１４の上部開口１３Ａ，１４Ａから排出（矢印ロ）される流路」及び「第１ランプハウス１３及び第２ランプハウス１４の下部開口１３Ａ，１４Ａから反射板２の一方の切り欠け部２Ａを介して反射板２の内部に進入（矢印イ）した液晶プロジェクタ内部の空気が、反射板２の内部に配設されたランプ１２の基端部側の軸体が貫通している反射板２の開口周りの間隙を介して第１ランプハウス１３及び第２ランプハウス１４の後面側に排出（矢印ロ）される流路」が記載されていることが認められる。
　
　そうしてみると、引用刊行物１の上記摘記事項及び図面の図示からみて、前記引用刊行物１には、次の発明（以下、これを「
引用発明１
　「液晶パネルへ光を供給する光源１と、
　　緑色光分離ダイクロイックミラー４Ｇと赤色光分離ダイクロイックミラー４Ｒとからなり、光源１から発せられた白色光を赤色光、緑色光、青色光に分光する分光手段と、
　　赤色用液晶パネル７Ｒと緑色用液晶パネル７Ｇと青色用液晶パネル７Ｂとからなり、入力された映像信号を光変調する液晶パネルと、
　　液晶パネルにより変調された緑色光と赤色光を合成する赤色光合成ダイクロイックミラー８Ｒと、緑色光と赤色光の合成光と液晶パネルにより変調された青色光とを合成する青色光合成ダイクロイックミラー８Ｂとからなり、赤色光、緑色光、青色光を合成する合成手段と、
　　前記液晶パネルにより変調された光を投射する投射レンズ９と、
　　前記光源１により発生する熱を冷却する、液晶プロジェクタ本体の後面に設けられたクロスフローファン１１と、
から構成される液晶プロジェクタであって、
　　前記光源１は、先端部に２個所の放熱するための切り欠け部２Ａが設けられた椀状の反射板２と、発光体の基端部側に位置する軸体と発光体の先端部側に位置する軸体とを発光部の両側に有し前記反射板２の内部に配設されたランプ１２とで構成され、
　　椀状の反射板２の内部に配設されるランプ１２の基端部側の軸体が貫通する前記反射板２の開口周りに間隙が設けられ、また前記反射板２の先端部から離隔した位置に赤外線カットフィルタ３が取付けられており、
　　液晶プロジェクタ本体側に設けられた第２ランプハウス１４と、該第２ランプハウス１４にスライド可能な構造で収納される第１ランプハウス１３とのそれぞれの上下面に開口１３Ａ，１４Ａが設けられていて、
　　前記第１ランプハウス１３及び第２ランプハウス１４の下部開口１３Ａ，１４Ａから反射板２の一方の切り欠け部２Ａを介して反射板２の内部に進入した液晶プロジェクタ内部の空気が、反射板２の内部に配設されたランプ１２の先端部側の軸体の近傍を通り、さらに反射板２の他方の切り欠け部２Ａを介して第１ランプハウス１３及び第２ランプハウス１４の上部開口１３Ａ，１４Ａから排出される流路と、第１ランプハウス１３及び第２ランプハウス１４の下部開口１３Ａ，１４Ａから反射板２の一方の切り欠け部２Ａを介して反射板２の内部に進入した液晶プロジェクタ内部の空気が、反射板２の内部に配設されたランプ１２の基端部側の軸体が貫通している反射板２の開口周りの間隙を介して第１ランプハウス１３及び第２ランプハウス１４の後面側に排出される流路と、液晶プロジェクタ本体の後面に設けられたクロスフローファン１１とにより、反射板２内にこもっていた光源１により発生する熱が効率的に液晶プロジェクタの外部に排出されるようにした液晶プロジェクタ」
　
（２）原審における拒絶査定の理由に引用された、本願の特許出願前に頒布された刊行物である特開昭６４−６５７０３号公報（以下、「
周知技術文献１
　「近年、前記照明ランプ装置は、家庭用の映写機やスライド、または医療用内視鏡の光源としても使用されるようになってきたが、上述のような事故があれば、その破裂による破片の飛散で火災・火傷・機器光学系の損傷また破裂音に驚いて思わぬけがをすることも予想される。
　本発明は、前述の問題点を解決するためになされたものである。
（問題点を解決するための手段および作用）
　前記の問題点を解決するために、本発明は、反射鏡と、該反射鏡の前面に取付けられた防爆用強化カバーと、該反射鏡の後方に設けられた通風ベースとで囲まれたスペースの中央部に、ランプが配置された点に特徴がある。
　前記構成により、ランプの破裂事故の際には破裂音の遮断作用と、破片の飛散防止作用が行なえ、通風ベースから空気の送り込みと排気を行うことにより、従来通り、ランプの冷却もできる。」（２頁左下欄３行〜同頁右下欄２行）
　「一方、回転２次曲線面を有する反射鏡３の底面には、防爆のために、透光性の高い石英ガラス等が使用された強化カバー２０が固着されている。該反射鏡３と強化カバー２０は、板ばね２２，２３で押えられて照明装置固定板２４に取付けられている。２５、２６は板ばね２２，２３を押えるボルトである。」（３頁右上欄３〜９行）
　「以上の説明から明らかなように、本実施例では反射板と強化カバーと通風ベースで囲まれたスペースの中にランプを位置させるようにしたので、ランプが破裂した場合でも、ランプの破片等でけがをするおそれはなく、破裂音の大きさも低減して使用者が驚くようなこともない。」（３頁右下欄１３〜１８行）
　
３　当審の判断
（１）対比
　本願発明１と上記引用発明１とを比較すると、引用発明１における「光源１」、「緑色光分離ダイクロイックミラー４Ｇと赤色光分離ダイクロイックミラー４Ｒとからなり、光源１から発せられた白色光を赤色光、緑色光、青色光に分光する分光手段」、「赤色用液晶パネル７Ｒと緑色用液晶パネル７Ｇと青色用液晶パネル７Ｂとからなり、入力された映像信号を光変調する液晶パネル」、「液晶パネルにより変調された緑色光と赤色光を合成する赤色光合成ダイクロイックミラー８Ｒと、緑色光と赤色光の合成光と液晶パネルにより変調された青色光とを合成する青色光合成ダイクロイックミラー８Ｂとからなり、赤色光、緑色光、青色光を合成する合成手段」、「前記液晶パネルにより変調された光を投射する投射レンズ９」、「椀状の反射板２」、「反射板２の先端部に設けられた２個所の放熱するための切り欠け部２Ａ」、「前記光源１により発生する熱を冷却する、液晶プロジェクタ本体の後面に設けられたクロスフローファン１１」及び「液晶プロジェクタ」のそれぞれが、本願発明１の「光源」、「光源装置からの光をＲ，Ｇ，Ｂに分光する分光手段」、「Ｒ，Ｇ，Ｂの各光に対応したライトバルブ」、「ライトバルブを照射した光を合成する合成手段」、「合成された光を写す投写レンズ」、「発光体の先端部側に位置する軸体及び発光部を覆い、先端が開放された凹状のリフレクタ」、「リフレクタの先端に形成されたリフレクタ内外に連通する一対の切欠き」、「冷却用のファン」及び「投写装置」にそれぞれ相当することは明らかである。
　また、引用発明１の「発光体の基端部側に位置する軸体と発光体の先端部側に位置する軸体とを発光部の両側に有し前記反射板２の内部に配設されたランプ１２」が、本願発明１の「発光部の両側に軸体を有する発光体」に対応し、引用発明１の「椀状の反射板２の内部に配設されるランプ１２の基端部側の軸体が貫通する前記反射板２の開口周りの間隙」が、本願発明１の「発光体の基端部側に位置する軸体とリフレクタとの隙間を介してリフレクタ内外に連通する切欠部」に対応するものであることも明らかである。
　そして、引用発明１の「前記第１ランプハウス１３及び第２ランプハウス１４の下部開口１３Ａ，１４Ａから反射板２の一方の切り欠け部２Ａを介して反射板２の内部に進入した液晶プロジェクタ内部の空気が、反射板２の内部に配設されたランプ１２の先端部側の軸体の近傍を通り、さらに反射板２の他方の切り欠け部２Ａを介して第１ランプハウス１３及び第２ランプハウス１４の上部開口１３Ａ，１４Ａから排出される流路」が、本願発明１の「リフレクタの一対の切欠きにより、発光体の先端部側に位置する軸体を冷却する流路」に対応し、また、引用発明１の「第１ランプハウス１３及び第２ランプハウス１４の下部開口１３Ａ，１４Ａから反射板２の一方の切り欠け部２Ａを介して反射板２の内部に進入した液晶プロジェクタ内部の空気が、反射板２の内部に配設されたランプ１２の基端部側の軸体が貫通している反射板２の開口周りの間隙を介して第１ランプハウス１３及び第２ランプハウス１４の後面側に排出される流路」が、本願発明１の「支持片の切欠部及びリフレクタの一方側の切欠きにより、発光体の基端部側に位置する軸体及び発光部を冷却する流路」に対応するといえる。
　さらに、引用刊行物１の段落【００３９】の「光源１は、ランプ１２と反射板２とから構成されており、ランプ１２と反射板２とは光源を交換する際に使用する取っ手１３Ｂを有する第１ランプハウス１３に取り付けられ」の記載、及び【００４３】の「液晶プロジェクタの後面は光源１１を取り出すための開口を有しており」の記載からみて、引用発明１の「液晶プロジェクタ本体側に設けられた第２ランプハウス１４」及び「該第２ランプハウス１４にスライド可能な構造で収納される第１ランプハウス１３」のそれぞれは、本願発明１の「シャーシ」及び「シャーシに着脱自在に装着される枠体」のそれぞれに対応するといえる。
　そうすると、本願発明１と引用発明１は、「シャーシに着脱自在に装着される枠体と、枠体内に収納される光源とから構成された光源装置と、光源装置からの光をＲ，Ｇ，Ｂに分光する分光手段と、Ｒ，Ｇ，Ｂの各光に対応したライトバルブと、ライトバルブを照射した光を合成する合成手段と、合成された光を写す投写レンズとを備えた投写装置において、前記光源は、発光部の両側に軸体を有する発光体と、発光体の基端部側に位置する軸体を支持片を介して固定すると共に、発光体の先端部側に位置する軸体及び発光部を覆い、先端が開放された凹状のリフレクタとから構成され、リフレクタの先端には、リフレクタ内外に連通する一対の切欠きが形成され、支持片には、発光体の基端部側に位置する軸体とリフレクタとの隙間を介してリフレクタ内外に連通する切欠部が形成され、光源を枠体内に収納した状態で、リフレクタの一対の切欠きにより、発光体の先端部側に位置する軸体を冷却する流路が形成されると共に、支持片の切欠部及びリフレクタの一方側の切欠きにより、発光体の基端部側に位置する軸体及び発光部を冷却する流路が形成されるように冷却用のファンを配設した投写装置」である点で一致し、次の点で構成が相違する。
　
相違点１
　
（２）相違点についての検討
　上記周知技術文献１に、回転２次曲線面を有する反射鏡３の開口先端縁の前面に、防爆のために、透光性の高い石英ガラス等の強化カバー２０を固着しておく技術が記載されている。
　また、本願特許出願前に頒布された特開平９−３３９２２号公報、特開平６−３１４５０１号公報、特開平３−１２６９３３号公報及び実開昭６３−５４１３５号公報の各刊行物にも、液晶プロジェクタの光源装置としてのメタルハライドランプ等の光源ランプを覆う凹状レフレクタの開口先端縁の前面に接する透明部材により、凹状レフレクタを閉塞する技術が記載されている。
　このように、リフレクタ内をリフレクタの先端に接する透明部材により閉塞することは、本願特許出願時の周知技術であるといえる。
　してみれば、引用発明１に前記周知技術を付加することにより、本願発明１の相違点１に係る前記「リフレクタ内は、リフレクタの先端に接する透明部材により閉塞される」構成とすることは、当業者が何ら困難を要することではなく、容易に想到することができたものである。
　そして、本願発明１の奏する作用効果は、引用発明１及び周知技術から予測できる範囲内のものであって、格別のものということができない。
　
（３）まとめ
　したがって、本願発明１は、引用発明１及び周知技術に基いて当業者が容易に発明をすることができたものである。
　
４　むすび
　以上のとおり、本願発明１は、引用発明１及び周知技術に基いて当業者が容易に発明をすることができたものであるから、本願発明１は特許法第２９条第２項の規定により特許を受けることができないので、本願は、拒絶されるべきものである。
　よって、結論のとおり審決する。